(57)【特許請求の範囲】
【請求項１】
調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバが、通信ネットワークを介して前記携帯端末から前記デジタルペンで手書きして記録された前記位置情報を含む手書き入力データを受信して前記調査地の帳票データを作成する砂防情報処理システムであって
前記デジタルペンは、
前記専用帳票への当該デジタルペンの手書きに伴う前記手書き入力データを前記携帯端末に近距離無線通信で送信する送信手段とを備え、
前記デジタルカメラは、
前記調査地を撮影してこの画像データを前記携帯端末に近距離無線通信で送信する手段と、
前記携帯端末が前記デジタルペンからの前記手書き入力データ、前記デジタルカメラからの前記画像データを受信して前記通信ネットワークを介して前記サーバに送信する手段と
を備え、
前記サーバは、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義部と、
前記携帯端末から前記手書き入力データを受信し、前記一時記憶手段に保存するデータ受信部と、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存するデータ変換部と、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータを設定して前記帳票データを作成して、前記帳票データベースに保存するデータ取込み部と
を備え、
さらに、
前記帳票定義部は、
前記帳票テンプレートに、前記携帯端末が前記デジタルカメラから受信した前記画像データの識別情報を入力するデータ欄を定義し、前記帳票エリア定義データに前記画像データの識別情報を入力するデータ欄を手書き認識のエリアと定義し、
前記データ受信部は、
前記携帯端末から受信する前記画像データを前記一時記憶手段に保存し、
さらに、
前記データ取込み部は、前記変換テキストデータに含まれる前記画像データの識別情報をキーに前記一時記憶手段に保存された前記画像データを検索して読み出し、前記帳票データと関連付けて、帳票データファイルとして前記帳票データベースに保存する
ことを特徴とする砂防情報処理システム。
【請求項２】
前記サーバと前記通信ネットワークで接続された事務所端末および前記事務所端末と接続されたプリンタをさらに含み、
前記事務所端末は、
前記サーバの前記帳票データベースから前記帳票エリア定義データを読み出し、前記プリンタによって前記専用帳票を印刷することを特徴とする請求項１に記載の砂防情報処理システム。
【請求項３】
前記帳票定義部は、
前記帳票テンプレートの小数を入力する前記データ欄を、整数部と小数部の前記手書き認識のエリアに分割して前記帳票エリア定義データに定義し、
前記データ取込み部は、
前記入力テキストデータに配列された前記整数部の数字と前記小数部の数字から、前記整数部と前記小数部の間に小数点を追加して前記小数を作成して前記変換テキストデータに再配列することを特徴とする請求項１または２に記載の砂防情報処理システム。
【請求項４】
前記データ取込み部は、
前記変換テキストデータの所定のデータを用いて、所望のデータを算出し、前記変換テキストデータに追加することを特徴とする請求項１ないし３のいずれか１項に記載の砂防情報処理システム。
【請求項５】
前記デジタルカメラは、ＧＰＳ機能を具備することを特徴とする請求項１に記載の砂防情報処理システム。
【請求項６】
調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバが、通信ネットワークを介して前記携帯端末から前記デジタルペンで手書きして記録された前記位置情報を含む手書き入力データを受信して前記調査地の帳票データを作成する砂防情報処理方法であって、
前記デジタルペンが、前記専用帳票への当該デジタルペンの手書きに伴う前記手書き入力データを前記携帯端末に送信する送信ステップを行い、
前記デジタルカメラが、前記調査地を撮影してこの画像データを前記携帯端末に近距離無線通信で送信するステップを行い、
前記携帯端末が前記デジタルペンからの前記手書き入力データ、前記デジタルカメラからの前記画像データを受信して前記通信ネットワークを介して前記サーバに送信するステップを行い、
前記サーバが、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義ステップと、
前記携帯端末から受信した前記手書き入力データを、前記一時記憶手段に保存するデータ受信ステップと、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存するデータ変換ステップと、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータとを設定して前記帳票データを作成し、前記帳票データベースに保存するデータ取込みステップと、
を行い、
さらに、
前記帳票定義ステップが、
前記帳票テンプレートに前記携帯端末が前記デジタルカメラから受信した前記画像データの識別情報を入力するデータ欄を定義し、前記帳票エリア定義データに前記画像データの識別情報を入力するデータ欄を手書き認識のエリアと定義し、
前記データ受信ステップが、前記携帯端末から受信する前記画像データを前記一時記憶手段に保存し、
さらに、
前記データ取込みステップが、
前記変換テキストデータに含まれる前記画像データの識別情報をキーに前記一時記憶手段に保存された前記画像データを検索して読み出し、前記帳票データと関連付けて、帳票データファイルとして前記帳票データベースに保存する
ことを行うことを特徴とする砂防情報処理方法。
【請求項７】
前記帳票定義ステップが、
前記帳票テンプレートの小数を入力する前記データ欄を、整数部と小数部の前記手書き認識のエリアに分割して前記帳票エリア定義データに定義し、
前記データ取込みステップは、前記入力テキストデータに配列された前記整数部の数字と前記小数部の数字から、前記整数部と前記小数部の間に小数点を追加して前記小数を作成して前記変換テキストデータに再配列することを行うことを特徴する請求項６に記載の砂防情報処理方法。
【請求項８】
前記データ取込みステップが、
前記変換テキストデータの所定のデータを用いて、所望のデータを算出し、前記変換テキストデータに追加することを行うことを特徴とする請求項６または７に記載の砂防情報処理方法。
【請求項９】
前記データ取込みステップが、
前記通信ネットワークを介して前記帳票データを前記携帯端末に送信することを行うことを特徴とする請求項６ないし８のいずれか１項に記載の砂防情報処理方法。
【請求項１０】
前記デジタルカメラは、ＧＰＳ機能を具備することを特徴とする請求項６に記載の砂防情報処理方法。
【請求項１１】
調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバによって、通信ネットワークを介して前記携帯端末から前記デジタルペンで手書きして記録された前記位置情報を含む手書き入力データを受信して前記調査地の帳票データを作成するための砂防情報処理プログラムであって、
前記サーバに、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義手段と、
前記携帯端末から受信した前記手書き入力データを、前記一時記憶手段に保存させるデータ受信手段と、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存させるデータ変換手段と、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータを設定して前記帳票データを作成して、前記帳票データベースに保存させるデータ取込み手段
としての機能を実行させ、
さらに、
前記帳票定義手段を、
前記帳票テンプレートに前記携帯端末が前記デジタルカメラから受信した画像データの識別情報を入力するデータ欄を定義し、前記帳票エリア定義データに前記画像データの識別情報を入力するデータ欄を手書き認識のエリアと定義させ、
前記データ受信手段を、前記携帯端末から受信する前記画像データを前記一時記憶手段に保存させ、
さらに、
前記データ取込み手段を、
前記変換テキストデータに含まれる前記画像データの識別情報をキーに前記一時記憶手段に保存された前記画像データを検索して読み出させ、前記帳票データと関連付けさせて、帳票データファイルとして前記帳票データベースに保存させる
ための機能を実行させるための砂防情報処理プログラム。
【請求項１２】
前記サーバの、
前記帳票定義手段を、前記帳票テンプレートの小数を入力する前記データ欄を、整数部と小数部の前記手書き認識のエリアに分割して前記帳票エリア定義データに定義させ、
前記データ取込み手段を、前記入力テキストデータに配列された前記整数部の数字と前記小数部の数字から、前記整数部と前記小数部の間に小数点を追加して前記小数を作成して前記変換テキストデータに再配列させるための機能を実行させるための請求項１１に記載の砂防情報処理プログラム。
【請求項１３】
前記サーバの、
前記データ取込み手段を、前記変換テキストデータの所定のデータを用いて、所望のデータを算出させ、前記変換テキストデータに追加させるための機能を実行させるための請求項１１または１２に記載の砂防情報処理プログラム。
【請求項１４】
前記サーバの、
前記データ取込み手段を、前記通信ネットワークを介して前記帳票データを前記携帯端末に送信させる機能を実行させるための請求項１１ないし１３のいずれか１項に記載の砂防情報処理プログラム。
【発明の詳細な説明】
【技術分野】
【０００１】
本発明は、砂防情報を処理するための情報処理システムの技術分野に関する。詳細には、デジタルペンに記憶した帳票への手書き情報を、電子データ化した帳票データとして利用できるようにする砂防情報処理システム、砂防情報処理方法および砂防情報処理プログラムに関する。
【背景技術】
【０００２】
砂防事務所および砂防関係部署では、各種事業の成果品や、日常業務で作成した各種資料など、毎年様々な砂防情報が蓄積されている。これら砂防情報を様々な部署で活用できるように一元管理し（情報の管理）、それらの情報を事務所の関係者で共有し（情報の共有）、日常業務で効率的に利用できる（情報の利用）環境を提供することを目的とした砂防関連情報管理システムが開発され、特許文献１に開示されている。
【０００３】
多くの砂防情報のデータは測量して得る必要があるため、実際に作業者が調査地に行って計測して帳票に記入し、その帳票を各砂防事務所に持ち帰って事務所端末からキーボード等により入力することで、電子データ化される。
【０００４】
一方、自然災害による被害が重大になってきていて、災害発生直後の砂防情報を迅速に砂防関連情報管理システムに保存し、被害予測や災害対策に一刻も早く利用できるようにする必要が生じている。
【０００５】
しかし、調査地は災害現場であったり山間部であったりと、作業者が調査地にコンピュータを持参し、計測データを当該コンピュータに直接入力することは困難であり、帳票に計測データを手書きすることが、最も実用的であり効率的である。
【０００６】
近年、手書きした情報を電子データ化するための機器としてデジタルペンが開発され、デジタルペンを利用したシステムが特許文献２に開示されている。
【先行技術文献】
【特許文献】
【０００７】
【特許文献１】特開２０１１−５９８１８号公報
【特許文献２】特開２００７−１０９０２５号公報
【発明の概要】
【発明が解決しようとする課題】
【０００８】
上述したように、作業者が調査地にコンピュータを持参することは困難であり、帳票に計測データを手書きすることが、最も実用的である。
【０００９】
しかし、帳票に記載した計測データを調査地から事務所へ戻って事務所端末から入力していたのでは、計測データを利用できるまでに時間がかかり過ぎてしまう。
【００１０】
本発明は、以上の課題を解決するためになされたもので、帳票に手書きした計測データをデジタル化し、調査地から直接管理センター等に送信できるようにする砂防情報処理システム、砂防情報処理方法および砂防情報処理プログラムを得ることを目的とする。
【課題を解決するための手段】
【００１１】
本発明の砂防情報処理システムは、調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバが、通信ネットワークを介して前記携帯端末から前記デジタルペンで手書きして記録された前記位置情報を含む手書き入力データを受信して前記調査地の帳票データを作成する砂防情報処理システムであって
前記デジタルペンは、
前記専用帳票への当該デジタルペンの手書きに伴う前記手書き入力データを前記携帯端末に近距離無線通信で送信する送信手段とを備え、
前記デジタルカメラは、
前記調査地を撮影してこの画像データを前記携帯端末に近距離無線通信で送信する手段と、
前記携帯端末が前記デジタルペンからの前記手書き入力データ、前記デジタルカメラからの前記画像データを受信して前記通信ネットワークを介して前記サーバに送信する手段と
を備え、
前記サーバは、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義部と、
前記携帯端末から前記手書き入力データを受信し、前記一時記憶手段に保存するデータ受信部と、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存するデータ変換部と、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータを設定して前記帳票データを作成して、前記帳票データベースに保存するデータ取込み部と
を備え、
さらに、
前記帳票定義部は、
前記帳票テンプレートに、前記携帯端末が前記デジタルカメラから受信した前記画像データの識別情報を入力するデータ欄を定義し、前記帳票エリア定義データに前記画像データの識別情報を入力するデータ欄を手書き認識のエリアと定義し、
前記データ受信部は、
前記携帯端末から受信する前記画像データを前記一時記憶手段に保存し、
さらに、
前記データ取込み部は、前記変換テキストデータに含まれる前記画像データの識別情報をキーに前記一時記憶手段に保存された前記画像データを検索して読み出し、前記帳票データと関連付けて、帳票データファイルとして前記帳票データベースに保存することを要旨とする。
【００１２】
さらに、本発明の砂防情報処理方法は、調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバが、通信ネットワークを介して前記携帯端末から前記デジタルペンで手書きして記録された前記位置情報を含む手書き入力データを受信して前記調査地の帳票データを作成する砂防情報処理方法であって、
前記デジタルペンが、前記専用帳票への当該デジタルペンの手書きに伴う前記手書き入力データを前記携帯端末に送信する送信ステップを行い、
前記デジタルカメラが、前記調査地を撮影してこの画像データを前記携帯端末に近距離無線通信で送信するステップを行い、
前記携帯端末が前記デジタルペンからの前記手書き入力データ、前記デジタルカメラからの前記画像データを受信して前記通信ネットワークを介して前記サーバに送信するステップを行い、
前記サーバが、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義ステップと、
前記携帯端末から受信した前記手書き入力データを、前記一時記憶手段に保存するデータ受信ステップと、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存するデータ変換ステップと、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータとを設定して前記帳票データを作成し、前記帳票データベースに保存するデータ取込みステップと、
を行い、
さらに、
前記帳票定義ステップが、
前記帳票テンプレートに前記携帯端末が前記デジタルカメラから受信した前記画像データの識別情報を入力するデータ欄を定義し、前記帳票エリア定義データに前記画像データの識別情報を入力するデータ欄を手書き認識のエリアと定義し、
前記データ受信ステップが、前記携帯端末から受信する前記画像データを前記一時記憶手段に保存し、
さらに、
前記データ取込みステップが、
前記変換テキストデータに含まれる前記画像データの識別情報をキーに前記一時記憶手段に保存された前記画像データを検索して読み出し、前記帳票データと関連付けて、帳票データファイルとして前記帳票データベースに保存することを行うことを行うことを要旨とする。
【００１３】
また、本発明の砂防情報処理プログラムは、調査地に、携帯端末とデジタルカメラとデジタルペンとこのデジタルペンの筆跡の位置情報を取得するためのドットパターンが印刷された専用帳票とを有し、センター側に一時記憶手段と帳票データベースとを具備するサーバを有し、前記サーバによって、通信ネットワークを介して前記携帯端末から前記デジタルペンで手書きして記録された前記位置情報を含む手書き入力データを受信して前記調査地の帳票データを作成するための砂防情報処理プログラムであって、
前記サーバに、
前記帳票データを構成するデータ欄と前記データ欄のデータ形式を定義した帳票テンプレートと、前記専用帳票を印刷するために、前記帳票テンプレートを元に手書き認識のエリアと前記エリアのデータ属性を定義した帳票エリア定義データを作成して前記帳票データベースに保存する帳票定義手段と、
前記携帯端末から受信した前記手書き入力データを、前記一時記憶手段に保存させるデータ受信手段と、
前記手書き入力データの各エリアに含まれる前記位置情報により前記筆跡を復元し、前記帳票エリア定義データに定義された各エリアの前記データ属性に従って、文字またはイメージに変換し、それぞれ入力テキストデータとイメージデータとして前記一時記憶手段に保存させるデータ変換手段と、
前記帳票データベースから前記帳票テンプレートを読み出し、前記入力テキストデータに配列された各エリアの前記文字を、各エリアに対応する前記帳票テンプレートに定義された前記データ欄の前記データ形式に変換し再配列して変換テキストデータを作成し、前記帳票テンプレートに前記変換テキストデータと前記イメージデータを設定して前記帳票データを作成して、前記帳票データベースに保存させるデータ取込み手段
としての機能を実行させ、
さらに、
前記帳票定義手段を、
前記帳票テンプレートに前記携帯端末が前記デジタルカメラから受信した画像データの識別情報を入力するデータ欄を定義し、前記帳票エリア定義データに前記画像データの識別情報を入力するデータ欄を手書き認識のエリアと定義させ、
前記データ受信手段を、前記携帯端末から受信する前記画像データを前記一時記憶手段に保存させ、
さらに、
前記データ取込み手段を、
前記変換テキストデータに含まれる前記画像データの識別情報をキーに前記一時記憶手段に保存された前記画像データを検索して読み出させ、前記帳票データと関連付けさせて、帳票データファイルとして前記帳票データベースに保存させる
ための機能を実行させることを要旨とする。
【発明の効果】
【００１４】
本発明では、従来の帳票にドットパターンを印刷した専用帳票に、デジタルペンで従来通りに手書きで情報を記載するだけで、記載した手書き情報をデジタル化した手書き入力データとして調査地から管理センターのサーバに送信できる。
【００１５】
さらに、本発明では、調査地から受信した手書き入力データを帳票データに変換でき、砂防情報管理システムへの読み込みが容易となり、帳票データを迅速に利用することができる。
【図面の簡単な説明】
【００１６】
【図１】砂防情報処理システムの構成図
【図２】砂防情報処理システム内のサーバの構成図
【図３】砂防情報処理システムにおけるシーケンス図
【図４】砂防情報処理システムにおけるシーケンス図
【図５】帳票テンプレート図
【図６】専用帳票図
【図７】各種データのフロー図
【図８】データ変換部のフローチャート図
【図９】専用帳票の記入例
【図１０】入力テキストデータの図
【図１１】データ取込み部のフローチャート図
【図１２】帳票データの図
【図１３】帳票データの表示例の図
【図１４】砂防情報管理システムの概略構成図
【発明を実施するための形態】
【００１７】
（システム構成）
本発明の砂防情報処理システムは、図１に例示したように、管理センターに配置された帳票定義部５４、データ受信部５１、データ変換部５２、データ取込み部５３、一時記憶手段６０ａおよび帳票データベース６０ｂを具備するサーバ５０と、事務所に配置された事務所端末１０およびプリンタ１１と、調査地に携帯される光学モジュール２３、内蔵メモリ２２および無線通信手段２１を具備するデジタルペン２０、デジタルカメラ４０および携帯端末３０と、プリンタ１１により印刷される専用帳票１２とを含み、サーバ５０と、事務所端末１０および携帯端末３０は通信ネットワーク１００に接続される。
【００１８】
携帯端末３０には、タブレットコンピュータ以外に、携帯電話やスマートフォンを利用しても構わない。
【００１９】
デジタルカメラ３０には、ＧＰＳ機能を備えたデジタルカメラを利用することが好ましい。
【００２０】
専用帳票１２には、デジタルペン２０で手書きした筆跡の位置情報を取得するためのドットパターンが印刷される。
【００２１】
一時記憶手段６０ａには、手書き入力データ６１、画像データ６２、入力テキストデータ６３およびイメージデータ６４が記憶される。
【００２２】
帳票データベース６０ｂには、帳票テンプレート６７、帳票エリア定義データ６６、変換テキストデータ６８ａ、および帳票データ６８と画像データ６２を含む帳票データファイル６５が保存される。
【００２３】
手書き入力データ６１とは、専用帳票１２にデジタルペン２０によって手書きするたびに、デジタルペン２０がペン先の筆圧を感知し、ペン先の位置に印刷されたドットパターンを光学モジュール２３によって読み取り、読み取ったドットパターンを位置情報に変換して内蔵メモリ２２に蓄積した情報である。
【００２４】
したがって、手書き入力データ６１の位置情報により手書きした筆跡を復元することができる。
【００２５】
画像データ６２とは、デジタルカメラ４０により撮影された画像である。
【００２６】
入力テキストデータ６３とは、手書き入力データ６１のうち、「文字」認識エリアに手書きされた筆跡の位置情報から変換した文字をエリア順に配列したデータである。
【００２７】
イメージデータ６４とは、手書き入力データ６１のうち、「イメージ」認識エリアに手書きされた筆跡の位置情報から描画したイラストイメージのデータである。
【００２８】
帳票テンプレート６７には、計測に使用する帳票を構成するデータ欄を定義したデータと、各データ欄に記入されるデータのデータ形式（数値なのか文字列なのか等）や数値なら取り得る範囲などを定義したデータが含まれる。
【００２９】
帳票エリア定義データ６６には、帳票テンプレート６７で定義した各データ欄について、どの範囲を手書き情報読み取りエリア（手書き認識のエリア）とするか定義したデータと、各エリアに手書きされた筆跡を「文字」として認識するか「イメージ」として認識するかを定義したデータ属性のデータが含まれる。
【００３０】
変換テキストデータ６８ａとは、帳票テンプレート６７に定義されたデータ欄とデータ形式にしたがって、入力テキストデータ６３に配列された文字を変換して、必要に応じて変換したデータを用いて所定の計算をした結果を追加して再配列したデータである。
【００３１】
帳票データ６８とは、帳票テンプレート６７に変換テキストデータ６８ａに再配列されたデータとイメージデータ６４を組み込んだデータである。
【００３２】
帳票データファイル６５には、帳票データ６８と、帳票データ６８に含まれる識別情報により関連付けられた画像データ６２が含まれる。
【００３３】
（各処理部の機能）
図２に示したサーバ５０の詳細構成を参照しながら、各処理手段の機能について説明する。
【００３４】
帳票定義部５４は、調査したデータを調査後に汎用の表計算ソフトウェアで利用できるようにするために、調査用の帳票の形式を表計算ソフトウェア用の帳票テンプレート６７として作業者に作成させ、帳票データベース６０ｂに保存する。
【００３５】
さらに、帳票定義部５４は、作業者に帳票テンプレート６７の各データ欄について、デジタルペン２０が手書き入力データ６１として読み取るべきエリアの範囲を設定させ、さらに各エリアで読み取った手書き入力データ６１を「文字」として認識するか「イメージ」として認識するかをデータ属性として定義させた帳票エリア定義データ６６を帳票データベース６０ｂに保存する。
【００３６】
データ受信部５１は、調査地の携帯端末３０から受信した手書き入力データ６１と画像データ６２を一時記憶手段６０ａに記憶する。
【００３７】
その後、データ受信部５１は、データ変換部５２を起動する。
【００３８】
データ変換部５２は、データ受信部５１によって起動されると、手書き入力データ６１を一時記憶手段６０ａから読み出し、さらに帳票エリア定義データ６６を帳票データベース６０ｂから読み出す。
【００３９】
データ変換部５２は、帳票エリア定義データ６６に定義された各エリアのデータ属性に従って、手書き入力データ６１の各エリアに該当するデータを「文字」または「イメージ」として認識して変換し、それぞれ入力テキストデータ６３またはイメージデータ６４として一時記憶手段６０ａに記憶する。
【００４０】
その後、データ変換部５２は、データ取込み部５３を起動する。
【００４１】
データ取込み部５３は、データ変換部５２によって起動されると、入力テキストデータ６３とイメージデータ６４を一時記憶手段６０ａから読み出し、帳票テンプレート６７を帳票データベース６０ｂから読み出す。
【００４２】
データ取込み部５３は、帳票エリア定義データ６６に定義されたエリアの順番にしたがって「文字」を単に列挙しただけの入力テキストデータ６３から、帳票テンプレート６７に設定された各データ欄に入力できる形式のデータに変換し、変換テキストデータ６８ａを作成する。
【００４３】
データ取込み部５３は、必要に応じて変換テキストデータ６８ａのデータから新たなデータを算出し、変換テキストデータ６８ａの所定の順番の位置に追加する。
【００４４】
データ取込み部５３は、変換テキストデータ６８ａとイメージデータ６４を帳票テンプレート６７の各データ欄に設定し、帳票データ６８を作成する。
【００４５】
また、データ取込み部５３は、変換テキストデータ６８ａに含まれる添付画像ファイル名などの識別情報をキーに、該当する画像データ６２を一時記憶手段６０ａから検索し、帳票データ６８とともに帳票データファイル６５として帳票データベース６０ｂに保存する。
【００４６】
さらに、データ取込み部５３は、作成した帳票データ６８を調査地の携帯端末３０に送信し、内容を確認させる。
【００４７】
（システム運用シーケンス）
次に、本発明の砂防情報処理システムの運用シーケンスを、図３と図４を参照しながら、説明する。
【００４８】
ステップＳ１：本発明の砂防情報処理システムの利用に際し、最初にサーバ１０の帳票定義部５４により、使用する帳票の形式を定義した帳票テンプレート６７と、デジタルペン２０が手書き情報を読み取るために必要な専用帳票１２を印刷するための帳票エリア定義データ６６を作成し、帳票データベース６０ｂに保存する。
【００４９】
前述したように、帳票テンプレート６７とは、図５に示したように、記入すべきデータ用のデータ欄を定義し、さらに各データ欄に記入されるデータ形式（数値なのか文字列なのか等）や数値なら取り得る範囲などを定義したデータである。
【００５０】
また、砂防情報では、座標データを利用するものが多く、入力された座標が緯度経度なのか、平面直行座標なのかを情報処理する際にわかるように、座標系の種類を示すデータ欄６７ｃ、またそのデータの単位を示すデータ欄６７ｄを帳票テンプレート６７には設けるようにする。
【００５１】
さらに、例えば、土砂崩れなどで形成された天然ダムの計測では、１箇所の天然ダムについて、Ａ：想定越流開始点、Ｂ：天然ダムを形成している土塊の下流末端、Ｃ：明らかな台形形状をしている場合の台形の下流側の肩、Ｄ：湛水面下流端の４地点の計測を行い、それぞれ同じ形式の帳票を使用する。
【００５２】
そのため、どの地点の計測であるかを記入するデータ欄６７ｅなどを設けて、同じ場所で同じ帳票を複数枚使用する場合に、それぞれを区別できるようにしてデータ取込み時に上書きが発生しないようにする。
【００５３】
前述したように、帳票エリア定義データ６６とは、図６に示したように、帳票テンプレート６７と同じ様式の各データ欄について、どの範囲を手書き情報読み取りエリアとするか定義し、さらに各エリアのデータを「文字」として認識するか「イメージ」として認識するかを定義したデータである。
【００５４】
ここで手書き情報読み取りエリアとして定義された箇所には、プリンタ１１で印刷した際に、デジタルペン２０が手書きした筆跡の位置情報を取得するための特殊な配列の小さな「ドットパターン」が印刷される。図６では、エリアＡ１からエリアＡ４８まで灰色で表示された部分である。
【００５５】
図５の帳票テンプレート６７には、平均値欄Ｃ１、Ｃ２、Ｃ３がデータ欄として定義されているが、平均値はサーバ５０で算出して設定するため、調査地で計算して手書きする必要がない。
【００５６】
そのため、図６の帳票エリア定義データ６６では、手書き情報読み取りエリアとして定義せず、「ドットパターン」は印刷されない。
【００５７】
本発明の砂防情報処理システムで使用する砂防情報には、図５の帳票テンプレート６７に小数記入欄（６７ａ、６７ｂ等）と示したように、計測したデータであるために、小数の数値が多く含まれる。
【００５８】
しかし、小数を手書きするとき、小数点を「．」（ピリオド）と書く以外に、「，」（カンマ）や「、」（読点）や「・」（中点）と書いてしまう場合もあるし、速く手書きする際に小数点を打つ筆圧が弱くなり、デジタルペン２０で認識できない場合も考えられ、小数点を識別できないために小数として認識できないデータが生じ得る。
【００５９】
そこで、小数点はあらかじめ印刷するようにし、小数記入欄を整数部と小数部のエリアに分割して定義することで、作業者は整数部の数字と小数部の数字のみをそれぞれのエリアに手書きすることとする。
【００６０】
例えば、図５に示した小数記入欄６７ａは、図６に示した専用帳票１２では、エリアＡ１４とエリアＡ１５に分割されている。
【００６１】
さらに、手書きした数字の一文字ずつが正確に認識するため、一文字ずつ間隔をおいて手書きするためのマス目を印刷するように、帳票エリア定義データ６６に定義する。
【００６２】
また、１枚の専用帳票１２の記入が完了したときに、完了をデジタルペン２０に認識させるための記入完了マーク１２ａ（四角形に１と記載した箇所）と、デジタルペン２０の内蔵メモリ２２に記憶した手書き入力データ６１を無線通信手段２１により送信させる指示をデジタルペン２０にするための送信マーク１２ｂ（四角形に２と記載した箇所）を、帳票エリア定義データ６６に定義する。
【００６３】
図５の帳票テンプレート６７にも記入完了マーク１２ａと送信マーク１２ｂを記載しているが、必ずしも定義する必要はない。
【００６４】
ステップＳ２：事務所端末１０は、通信ネットワーク１００を経由してサーバ５０の帳票データベース６０ｂにアクセスし、帳票エリア定義データ６６を読み出し、接続されたプリンタ１１から専用帳票１２を印刷する。
【００６５】
ステップＳ３：作業者は、デジタルカメラ４０で専用帳票に添付する調査地の画像を撮影し、例えばブルートゥース（登録商標）などの無線通信によって画像データ６２を携帯端末３０に送信する。
【００６６】
ステップＳ４：デジタルペン２０は、作業者が印刷した専用帳票１２にデジタルペン２０で必要事項や計測データを手書きするごとに、ペン先が専用帳票１２に触れることで生じる筆圧を感知し、ペン先の専用帳票１２に印刷されたドットパターンを内蔵している光学モジュール２３により読み取り、手書きした文字や図の筆跡の位置情報を手書き入力データ６１として内蔵メモリ２２に記録していく。この方式を「アノト方式」と呼ぶ。
【００６７】
作業者が専用帳票１２に印刷された記入完了マーク１２ａをチェックすると、デジタルペン２０は、それまで記録していたデータを専用帳票１２の１枚分としてまとめる。作業者は複数枚の専用帳票１２に記入する場合、１枚の記入を完了するごとに記入完了マーク１２ａをチェックし、デジタルペン２０は、それぞれ１枚分のデータをまとめ、内蔵メモリ２２に記録する。
【００６８】
ステップＳ５：作業者が専用帳票１２に印刷された送信マーク１２ｂをチェックすると、デジタルペン２０は、内蔵メモリ２２に記録しておいた手書き入力データ６１を、無線通信手段２１によって、例えばブルートゥース（登録商標）などの無線通信で携帯端末３０に送信する。
【００６９】
（携帯端末の処理）
ステップＳ６：携帯端末３０は、デジタルカメラ４０から受信した画像データ６２と、デジタルペン２０から受信した手書き入力データ６１を、例えば電子メールに添付するなどして、管理センターのサーバ５０に送信する。
【００７０】
（管理センターのサーバの処理）
ステップＳ７：サーバ５０は、データ受信部５１により、携帯端末３０から画像データ６２と手書き入力データ６１を受信すると、画像データ６２と手書き入力データ６１を一時記憶手段６０ａに関連付けて保存し、データ変換部５２を起動する。
【００７１】
ステップＳ８：サーバ５０は、データ変換部５２により、手書き入力データ６１を一時記憶手段６０ａから読み出し、帳票データベース６０ｂに保存された帳票エリア定義データ６６に定義された各エリアのデータ属性に従って、手書き入力データ６１の各エリアに該当するデータを「文字」または「イメージ」として認識して変換し、それぞれ入力テキストデータ６３またはイメージデータ６４として一時記憶手段６０ａに記憶する。
【００７２】
変換が完了すると、データ変換部５２は、続いてデータ取込み部５３を起動する。
【００７３】
ステップＳ９：サーバ５０は、データ取込み部５３により、入力テキストデータ６３とイメージデータ６４を一時記憶手段６０ａから読み出し、入力テキストデータ６３内に手書きされたエリアの順番通りに列挙された文字を帳票テンプレート６７の各データ欄に入力できる形式のデータに変換し、さらに変換したデータから算出した数値を追加して変換テキストデータ６８ａを作成する。
【００７４】
変換テキストデータ６８ａの作成処理については、データ取込み部５３のフローチャートを参照しながら、後に具体例を用いて説明する。
【００７５】
次に、サーバ５０は、データ取込み部５３により、変換テキストデータ６８ａとイメージデータ６４を帳票テンプレート６７の各データ欄に設定し、帳票データ６８を作成する。
【００７６】
ステップＳ１０：サーバ５０は、データ取込み部５３により、変換テキストデータ６８ａに含まれる添付画像ファイル名などの識別情報をキーに、該当する画像データ６２を一時記憶手段６０ａから検索し、帳票データ６８とともに帳票データファイル６５として帳票データベース６０ｂに保存する。
【００７７】
ステップＳ１１：サーバ５０は、データ取込み部５３により、作成した帳票データ６８を調査地の携帯端末３０に送信し、内容を確認させる。
【００７８】
ステップＳ１２：携帯端末３０は、サーバ５０から受信した帳票データ６８を表示して、内容を確認する。もし数値エラーや取込みエラーなどがある場合は、再度計測を実行する。
【００７９】
（データの流れ）
図５に示した帳票テンプレート６７と図６に示した専用帳票１２は、イメージ入力がなく、画像データ６２を添付しない場合の例である。
【００８０】
イメージ入力があり、画像データ６２を添付する場合について、図７にデータフローを示したので、図７を参照しながら、本発明の砂防情報処理システムにおけるデータの流れを説明する。
【００８１】
図７に示した専用帳票１２には、イメージ入力エリア１２ｃと、添付画像ファイル名エリア１２ｄが定義されている。エリアのデータ属性は、イメージ入力エリア１２ｃのみが「イメージ」認識であり、その他のエリアは「文字」認識と定義される。
【００８２】
図７では、デジタルカメラ４０で撮影した画像データ６２のファイル名は「Ｐ０１２．ｊｐｇ」となっている。
【００８３】
図３に示したステップＳ３で、デジタルカメラ４０から画像データ６２を携帯端末３０に送信した際に、作業者は、携帯端末３０で受信した画像データ６２のファイル名を確認する。
【００８４】
図３に示したステップＳ４で、作業者は、専用帳票１２の添付画像ファイル名エリア１２ｄに、確認した画像デ―タ６２のファイル名「Ｐ０１２」（拡張子は省略してもよい）を手書きする。
【００８５】
また、作業者は、専用帳票１２のイメージ入力エリア１２ｃに、現地の地形などの状況をイラスト描写する。
【００８６】
すると、デジタルペン２０は、専用帳票１２の各エリアに手書きされた筆跡の位置情報を手書き入力データ６１として作成する。
【００８７】
作業者がデジタルペン２０で専用帳票１２の記入完了マーク１２ａをチェックし、つづいて送信マーク１２ｂをチェックすると、デジタルペン２０は内蔵メモリ２２に記録した手書き入力データ６１を携帯端末３０に送信する。
【００８８】
携帯端末３０は、手書き入力データ６１とファイル名「Ｐ０１２．ｊｐｇ」の画像デ―タ６２を、電子メールに添付するなどして、サーバ５０に送信する。
【００８９】
手書き入力データ６１とファイル名「Ｐ０１２．ｊｐｇ」の画像デ―タ６２を、携帯端末３０から受信したサーバ５０では、データ変換部５１によって、帳票エリア定義データ６６を参照しながら、各エリアのデータ属性に従って手書き入力データ６１の各エリアのデータを認識して、入力テキストデータ６３かイメージデータ６４に変換する。
【００９０】
図７では、イメージ入力エリア１２ｃに描写されたイラストのみがイメージデータ６４に変換され、その他のエリアのデータは、エリアの順番に「田中一郎」、「１２３」、「４５６」、「２３４」、「５６７」、「５６」、「７８９」、「Ｐ０１２」に文字変換され、入力テキストデータ６３として配列される。
【００９１】
次に、入力テキストデータ６３に順番に配列された文字は、データ取込み部５２によって、帳票データ６８の帳票テンプレート６７の各データ欄に設定するための形式に変換され、変換テキストデータ６８ａとして再配列される。
【００９２】
図７では、「田中一郎」と「Ｐ０１２」はそのまま複写されるが、ｘ座標の整数部の「１２３」と小数部の「４５６」は、間に小数点を追加して「１２３．４５６」と変換され、同様にｙ座標の「２３４」と「５６７」は「２３４．５６７」に、ｚ座標の「５６」と「７８９」は「５６．７８９」に変換されて、変換テキストデータ６８ａに再配列されている。
【００９３】
さらに、データ取込み部５２によって、帳票テンプレート６７の各データ欄に変換テキストデータ６８ａの各データとイメージデータ６４を組み込んで帳票データ６８が作成される。
【００９４】
また、変換テキストデータ６８ａ内の添付画像ファイル名「Ｐ０１２」をキーに、一時記憶手段６０ａから画像データ６２を検索して読み出し、画像データ６２と帳票データ６８を関連付けて帳票データファイル６５として帳票データベース６０ｂに保存する。
【００９５】
（データ変換部５２の処理説明）
図８に示したデータ変換部５２の処理に関するフローチャートを参照しながら、詳細に説明する。
【００９６】
データ受信部５１が手書き入力データ６１と画像データ６２を一時記憶手段６０ａに保存した後に起動されるデータ変換部５２は、まず、一時記憶手段６０ａに保存された手書き入力データ６１を読み出す（ステップＳ１００）。
【００９７】
さらに、データ変換部５２は、帳票データベース６０ｂに帳票定義部５４によってあらかじめ定義されている帳票エリア定義データ６６を読み出す（ステップＳ１０１）。
【００９８】
次に、データ変換部５２は、帳票エリア定義データ６６に設定された１つのエリアのデータ属性を読み出し、手書き入力データ６１に含まれる筆跡の位置情報により、当該エリアの位置に含まれる筆跡のデータを選択し抽出する（ステップＳ１０２）。
【００９９】
帳票エリア定義データ６６に設定された当該エリアのデータ属性を判定する（ステップＳ１０３）。
【０１００】
データ属性が「文字」認識である場合は、選択したデータから筆跡を復元し、文字パターンと照合するなどして識別した「文字」として入力テキストデータ６３に配列し、一時記憶手段６０ａに保存する（ステップＳ１０４）。
【０１０１】
一方、データ属性が「イメージ」認識である場合は、選択したデータから筆跡を復元し、筆跡のままイラストイメージに変換し、イメージデータ６４として一時記憶手段６０ａに保存する（ステップＳ１０５）。
【０１０２】
帳票エリア定義データ６６には複数のエリアが定義されているので、設定されている最後のエリアになるまでステップＳ１０２から処理を繰り返す（ステップＳ１０６）。
【０１０３】
帳票エリア定義データ６６から印刷した専用帳票１２にデジタルペン２０で手書きした具体例を図９に示し、データ変換部５２によって作成された入力テキストデータ６３を図１０に示している。
【０１０４】
図９に示すように、専用帳票１２はエリアＡ１からエリアＡ４８によって構成され、それぞれのエリアの位置範囲とデータ属性が帳票エリア定義データ６６に定義されている。
【０１０５】
データ変換部５２は、まず帳票エリア定義データ６６のエリアＡ１の位置範囲を読み、手書き入力データ６１内で、この位置範囲に含まれる筆跡を位置情報によって抽出する。
【０１０６】
さらに、データ変換部５２は、エリアＡ１のデータ属性が「文字」認識である場合、エリアＡ１の筆跡を「１２３４５」という文字として識別し、図１０に示した入力テキストデータ６３の１番目に配列する。
【０１０７】
データ変換部５２は、エリアＡ２からエリアＡ４８まで同様の処理を繰り返し、図１０に入力テキストデータ６３の左側に説明のために記載したエリア番号に該当する場所に、当該エリア番号のエリアに手書きされた筆跡を識別した「文字」を順番に配列していく。
【０１０８】
（データ取込み部５３の処理説明）
図１１に示したデータ取込み部５３の処理に関するフローチャートを参照しながら、詳細に説明する。
【０１０９】
データ変換部５２によって手書き入力データ６１の変換が完了した後に起動されるデータ取込み部５３は、一時記憶手段６０ａに保存された入力テキストデータ６３とイメージデータ６４を読み出す（ステップＳ２００）。
【０１１０】
また、データ取込み部５３は、帳票データベース６０ｂから帳票テンプレート６７を読み出す（ステップＳ２０１）。
【０１１１】
データ取込み部５３は、入力テキストデータ６３に配列された各「文字」を、順次帳票テンプレート６７に定義された所望の形式に変換しながらマッピングし、変換テキストデータ６８ａを作成する（ステップＳ２０２）。
【０１１２】
さらに、データ取込み部５３は、ステップＳ２０１で作成した変換テキストデータ６８ａ内の所定のデータを用いて、所望の数値を算出し、変換テキストデータ６８ａに追加する（ステップＳ２０３）。
【０１１３】
データ取込み部５３は、変換テキストデータ６８ａとイメージデータ６４を、読み出した帳票テンプレート６７の所定の欄に設定し、帳票データ６８を完成させる（ステップＳ２０４）。
【０１１４】
また、データ取込み部５３は、変換テキストデータ６８ａ内に添付された画像データ６２の識別情報（ファイル名など）がある場合、当該識別情報により一時記憶手段６０ａを検索し、該当する画像データ６２を読み出す（ステップＳ２０５）。
【０１１５】
データ取込み部５３は、完成した帳票データ６８と、帳票データ６８に識別情報で関連付けられた画像データ６２を、帳票データファイル６５として帳票データベース６０ｂに保存する（ステップＳ２０６）。
【０１１６】
つづいて、データ取込み部５３は、完成した帳票データ６８を、手書き入力データ６１を送信してきた携帯端末３０に送信し、内容を確認させる（ステップＳ２０７）。
【０１１７】
データ取込み部５３が図１０に示した入力テキストデータ６３から作成する変換テキストデータ６８ａを図１２に示している。
【０１１８】
また、図１２に示した変換テキストデータ６８ａを帳票テンプレートに設定した帳票データ６８の表示例を図１３に示している。
【０１１９】
図９、図１０、図１２および図１３を参照しながら、ステップＳ２０２とステップＳ２０３の処理について具体的に説明する。
【０１２０】
図１３に示した帳票データ６８で小数形式の数値と注釈を付した欄は、図９に示した専用帳票１２では整数部と小数部の２つのエリアに分割されているため、２つのエリアの文字を１箇所に設定しなければならない。
【０１２１】
一方、それ以外の欄は、１つの欄が１つのエリアに対応しているため、エリアに手書きされた筆跡から識別された「文字」をそのまま複写すればよい。
【０１２２】
ステップＳ２０２の「所望の形式に変換」では、１つの欄が１つのエリアに対応している場合は、入力テキストデータ６３に配列された「文字」をそのまま変換テキストデータ６８ａに複写し、整数部と小数部に分割されている場合は、入力テキストデータ６３に配列された整数部の「文字」（数字）と小数部の「文字」（数字）を、小数点を追加して結合させることで正確な小数の形式に変換して変換テキストデータ６８ａに配列する。
【０１２３】
データ取込み部５３は、図１０に示した入力テキストデータ６３の例では、ステップＳ２０２により、エリアＡ１からＡ１３の文字を、それぞれ変換テキストデータ６８ａのデータ番号Ｄ１からＤ１３にそのまま複写する。
【０１２４】
次に、データ取込み部５３は、エリアＡ１４とＡ１５の文字から「９８７６．１２３４５６７」という小数を生成し、変換テキストデータ６８ａのデータ番号Ｄ１４に配列し、エリアＡ１６とＡ１７の数字から「８７６５．２３４５６７８」という小数を生成し、変換テキストデータ６８ａのデータ番号Ｄ１５に配列する。
【０１２５】
再び、データ取込み部５３は、エリアＡ１８の文字を変換テキストデータ６８ａのデータ番号Ｄ１６にそのまま複写する。
【０１２６】
さらに、データ取込み部５３は、エリアＡ１９とＡ２０の数字から「１０１．１２３４５６７」という小数を生成し、変換テキストデータ６８ａのデータ番号Ｄ１７に配列し、同様にエリアＡ２１とＡ２２、エリアＡ２３とＡ２４、・・・・、エリアＡ４７とＡ４８の数字からそれぞれ小数を生成して、順次変換テキストデータ６８ａに配列していく。
【０１２７】
また、図９に示した専用帳票１２では手書きエリアとして定義されていない（白色の部分）が、図１３に示した帳票データ６８では、平均値欄Ｃ１、Ｃ２、Ｃ３と定義されている欄がある。
【０１２８】
このように、実際に計測したデータから算出するデータも、従来は調査地で計算して帳票に記入していたが、必ず調査地で行う必要もないため、計測データからサーバ５０で算出するほうが効率的であり、正確である。
【０１２９】
そこで、データ取込み部５３のステップＳ２０３の「所望の数値を算出」では、ステップＳ２０２で作成し図１２に示した変換テキストデータ６８ａのうち、データ番号Ｄ１７からＤ２１までの小数の平均値を算出し、結果「１６３．２７９０１２０５８」をデータ番号Ｄ２２に追加する。
【０１３０】
データ取込み部５３は、同様にデータ番号Ｄ２３からＤ２７までの小数の平均値を算出し、結果をデータ番号Ｄ２８に追加し、データ番号Ｄ２９からＤ３３までの小数の平均値を算出し、結果をデータ番号Ｄ３４に追加する。
【０１３１】
データ取込み部５３のステップＳ２０４で、作成された変換テキストデータ６８ａ内のデータ番号Ｄ１からＤ３４のデータを、読み出した帳票テンプレート６７の各データ欄に設定することで、図１３に示した帳票データ６８が完成する。
【０１３２】
ここで、帳票テンプレート６７には、各データ欄に記入されるデータの形式（数値なのか文字列なのか等）や、数値ならその取り得る範囲などが定義されており、ステップＳ２０４で変換テキストデータ６８ａ内の各データを設定して帳票データ６８を作成した後、当該帳票データ６８を表示すると、設定されたデータが定義されたデータ形式や範囲以外であった場合、その欄にエラーが表示されるようにしておく。
【０１３３】
したがって、作業者がデータ取込み部５３のステップＳ２０７で帳票データ６８を送信された携帯端末３０で、受信した帳票データ６８を表示すると、エラーの有無、またどのデータがエラーかを知ることができる。
【０１３４】
もしエラーが発生していても、作業者は調査地で確認できるので、容易に再調査することが可能である。
【０１３５】
一方、都道府県毎の担当者によって作成された、それぞれ異なる形式で記述された少なくとも
急傾斜地の崩壊の危険区域、土石流の危険区域、地滑りの危険区域の３現象のデータを有する土砂災害防止法に係わる法律の関連データを、照査／検査サーバが取り込んで照査、検査し、これをデータ保管サーバによって都道府県毎のハードディスクに保管し、これらを検索／集計／加工サーバが検索、加工する災害情報管理システム（Ｄ−ＭＡＣ：登録商標）がある。
【０１３６】
この災害情報管理システム（Ｄ−ＭＡＣ）は、図１４に示すように構成されている。
【０１３７】
図１４は砂防情報管理システムの概略構成図である。図１４に示すように、本システムは、ｓｈａｐｅ変換部１３６を有する照査／検査サーバ１００と、データ保管サーバ１３２と、検査／集計／加工サーバ１３５と、都道府県別専用ＨＤＤ１４０とを例えばＬＡＮでそれぞれ接続し、各都道府県・直轄砂防関係事務所が保有する砂防管理関係情報のバックアップを行うと共に、定期的に新しく作成されたデータを検査・登録する。
【０１３８】
これにより、常に最新の状態に更新し、都道府県等がそれぞれの砂防情報管理システムで運用するデータベースのメンテナンスを包括的にサポートする。すなわち、情報の保管を二重（バックアップ）しておくことにより、災害等の緊急時に危険箇所カルテ、台帳等の基礎情報をスムーズに提供することを可能としている。
【０１３９】
このような砂防情報管理システムを管理センターに設けて、帳票データベース６０ｂの帳票データを砂防情報管理システムに出力する構成を設ければ、砂防情報管理システムはｓｈａｐｅファイル形式であるから、帳票データ（テキスト：緯度、経度）をｓｈａｐｅファイルに容易に変換して扱うことができる。
【０１４０】
以上に示した本実施の形態は、本発明の技術的思想を具体化するためのシステムや処理手順を例示するものであって、構成部品の配置や処理の順番等を限定するものではない。本発明の技術的思想は、特許請求の範囲に記載された技術的範囲内において、種々の変更を加えることができる。図面は模式的なものであり、システムの構成等は現実のものとは異なることに留意すべきである。
【符号の説明】
【０１４１】
１０      事務所端末
１１      プリンタ
１２      専用帳票
２０      デジタルペン
２１      無線通信手段
２２      内蔵メモリ
２３      光学モジュール
３０      携帯端末
４０      デジタルカメラ
５０      サーバ
５１      データ受信部
５２      データ変換部
５３      データ取込み部
５４      帳票定義部
６０ａ    一時記憶手段
６０ｂ    帳票データベース
６１      手書き入力データ
６２      画像データ
６３      入力テキストデータ
６４      イメージデータ
６５      帳票データファイル
６６      帳票エリア定義データ
６７      帳票テンプレート
６８      帳票データ
６８ａ    変換テキストデータ
１００    通信ネットワーク
【図１】
0005639130.tif 000002
【図２】
0005639130.tif 000003
【図３】
0005639130.tif 000004
【図４】
0005639130.tif 000005
【図５】
0005639130.tif 000006
【図６】
0005639130.tif 000007
【図７】
0005639130.tif 000008
【図８】
0005639130.tif 000009
【図９】
0005639130.tif 000010
【図１０】
0005639130.tif 000011
【図１１】
0005639130.tif 000012
【図１２】
0005639130.tif 000013
【図１３】
0005639130.tif 000014
【図１４】
0005639130.tif 000015